【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
式（Ｉ）、式（ＩＩ）及び式（ＩＩＩ）から選択される少なくとも１つの繰り返し単位を有するポリマー複合体。
【化１】
2010528122.tif 000001
（式中、Ａ１、Ａ２、Ａ３、Ａ４、Ａ５及びＡ６はそれぞれ独立して酸素又はＮＲ７であり、ここでＲ７は水素又はＣ１−４アルキルであり、
Ｒ１、Ｒ２、Ｒ３、Ｒ４、Ｒ５及び各Ｒ６はそれぞれ独立して水素、Ｃ１−１０アルキル基、Ｃ６−２０アリール基、アンモニウム基、アルカリ金属、多座配位子、保護された酸素原子を有する多座配位子前駆体、白金を含む基、薬物を含む基、標的化剤を含む基、光造影剤を含む基、磁気共鳴造影剤を含む基及び安定剤を含む基からなる群から選択され、
Ｒ１、Ｒ２、Ｒ３、Ｒ４、Ｒ５及びＲ６のうち、少なくとも１つは白金を含む基であり、
ｍ、ｎ及びｏはそれぞれ独立して１又は２であり、
ｓ、ｔ及びｕはそれぞれ独立して０又は≧１であり、ここで、ｓ、ｔ及びｕの合計は≧１以上である。）
【請求項２】
該白金を含む基がＡ１及びＡ２の両方に結合する、請求項１のポリマー複合体。
【請求項３】
該式（Ｉ）の繰り返し単位が以下の構造を有する、請求項２のポリマー複合体：
【化２】
2010528122.tif 000002
（式中、各Ｒａは独立してモノアルキルアミン、ジアルキルアミン、モノアリールアミン及びジアリールアミンからなる群から選択される。）
【請求項４】
該ポリマー複合体が架橋単位を有する、請求項１〜３のいずれか１項のポリマー複合体。
【請求項５】
該架橋単位が白金を有する、請求項４のポリマー複合体。
【請求項６】
ｓ＋ｔは２以上であり、
ｕは０であり、
Ｒ１、Ｒ２、Ｒ３及びＲ４の少なくとも１つは白金を含む基であり、かつＲ１、Ｒ２、Ｒ３、及びＲ４の少なくとも１つは薬剤を含む基であり、該白金を含む基と薬剤を含む基は同じではない、請求項１〜５のいずれか１項のポリマー複合体。
【請求項７】
ｓ＋ｔは２以上であり、
ｕは０であり、
Ｒ１、Ｒ２、Ｒ３及びＲ４の少なくとも１つは白金を含む基であり、かつＲ１、Ｒ２、Ｒ３及びＲ４の少なくとも１つは多座配位子、保護された酸素原子を有する多座配位子前駆体、標的化剤を含む基、光造影剤を含む基、磁気共鳴造影剤を含む基及び安定剤を含む基からなる群から選択される、請求項１〜５のいずれか１項のポリマー複合体。
【請求項８】
さらに式（ＩＶ）の繰り返し単位を有する請求項１〜７のいずれか１項のポリマー複合体。
【化３】
2010528122.tif 000003
（式中、Ｒ8は水素、アンモニウム又はアルカリ金属である。）
【請求項９】
該ポリマー複合体が、該ポリマー複合体に対する白金の質量比で、約０．５％〜約５０％（重量／重量）の範囲の総量の白金を含む、請求項１〜８のいずれか１項のポリマー複合体。
【請求項１０】
薬物は抗癌剤である、請求項１〜９のいずれか１項のポリマー複合体。
【請求項１１】
抗癌剤はタキサン、カンプトテカ及びアントラサイクリンからなる群から選択される、請求項１０のポリマー複合体。
【請求項１２】
タキサンはパクリタキセル及びドセタキセルからなる群から選択される、請求項１１のポリマー複合体。
【請求項１３】
カンプトテカはカンプトテシンである、請求項１１のポリマー複合体。
【請求項１４】
アントラサイクリンはドキソルビシンである、請求項１１のポリマー複合体。
【請求項１５】
標的化剤はアルギニン−グリシン−アスパラギン酸（ＲＧＤ）ペプチド、フィブロネクチン、葉酸、ガラクトース、アポリポ蛋白質、インスリン、トランスフェリン、繊維芽細胞増殖因子（ＦＧＦ）、上皮細胞増殖因子（ＥＧＦ）、及び抗体からなる群から選択される、請求項１〜１４のいずれか１項のポリマー複合体。
【請求項１６】
光造影剤はアクリジン色素、クマリン色素、ローダミン色素、キサンテン色素、シアニン色素及びピレン色素からなる群から選択される、請求項１〜１５のいずれか１項のポリマー複合体。
【請求項１７】
磁気共鳴造影剤はＧｄ（ＩＩＩ）化合物を含む、請求項１〜１６のいずれか１項のポリマー複合体。
【請求項１８】
Ｇｄ（ＩＩＩ）化合物は以下の
【化４】
2010528122.tif 000004
又は
【化５】
2010528122.tif 000005
を含む、請求項１７のポリマー複合体。
【請求項１９】
多座配位子が以下の
【化６】
2010528122.tif 000006
（式中、各Ｒ９は独立して水素、アンモニウム又はアルカリ金属である。）
又は
【化７】
2010528122.tif 000007
（式中、各Ｒ１０は独立して水素、アンモニウム又はアルカリ金属である。）
を含む、請求項１〜１８のいずれか１項のポリマー複合体。
【請求項２０】
保護された酸素原子を有する多座配位子前駆体は以下の
【化８】
2010528122.tif 000008
を含む、請求項１〜１９のいずれか１項のポリマー複合体。
【請求項２１】
安定剤はポリエチレングリコールである、請求項１〜２０のいずれか１項のポリマー複合体。
【請求項２２】
ｍ、ｎ及びｏの群のうち少なくとも１つが１である、請求項１〜２１のいずれか１項のポリマー複合体。
【請求項２３】
ＰＰＡＲγを活性化する作用因子をさらに含み、該ＰＰＡＲγを活性化する因子が、ロシジタグロン及びピオグリタゾンからなる群から選択される、請求項１〜２２のいずれか１項のポリマー複合体。
【請求項２４】
以下の式（Ｖ）の繰り返し単位を有するポリマー反応物を溶媒に溶解又は部分的に溶解させて、溶解した又は部分的に溶解したポリマー反応物を調製すること：
【化９】
2010528122.tif 000009
（式中、ｚは独立して１又は２であり、
Ａ７及び各Ａ８は酸素であり、かつ
Ｒ１１及びＲ１２はそれぞれ独立して水素、アンモニウム及びアルカリ金属からなる群から選択される）、及び
該溶解した又は部分的に溶解したポリマー反応物を、白金を含む基を有する第２の反応物と反応させることを含む、請求項１のポリマー複合体を製造する方法。
【請求項２５】
該溶解した又は部分的に溶解したポリマー反応物を第３の反応物と反応させることをさらに含み、該第３の反応物が、多座配位子、保護された酸素原子を有する多座配位子前駆体、薬物を含む基、標的化剤を含む基、光造影剤を含む基、磁気共鳴造影剤を含む基、安定剤を含む基及びＰＰＡＲγを活性化する作用因子からなる群から選択される少なくとも１つを有する、請求項２４の方法。
【請求項２６】
該溶解した又は部分的に溶解したポリマー反応物を第４の反応物と反応させることをさらに含み、該第４の反応物が、多座配位子、保護された酸素原子を有する多座配位子前駆体、薬物を含む基、標的化剤を含む基、光造影剤を含む基、磁気共鳴造影剤を含む基、安定剤を含む基及びＰＰＡＲγを活性化する作用因子からなる群から選択される少なくとも１つを有する、請求項２４〜２５のいずれか１項の方法。
【請求項２７】
該溶解した又は部分的に溶解したポリマー反応物をカップリング剤の存在下で反応させることをさらに含む、請求項２４〜２６のいずれか１項の方法。
【請求項２８】
溶媒は極性非プロトン性溶媒である、請求項２４〜２７のいずれか１項の方法。
【請求項２９】
溶解された又は部分的に溶解されたポリマー反応物を触媒の存在下で反応させることをさらに含む、請求項２４〜２８のいずれか１項の方法。
【請求項３０】
有効量の請求項１〜２３のいずれか１項のポリマー複合体を含有する、病気又は症状の治療又は寛解のための医薬組成物。
【請求項３１】
ロシジタグロンを含む基及びピオグリタゾンを含む基から選択される１種以上の化合物を投与することをさらに含む、請求項３０に記載の医薬組成物。
【請求項３２】
有効量の請求項１〜２３のいずれか１項のポリマー複合体を含有する、病気又は症状の診断のための医薬組成物。
【請求項３３】
病気又は症状は肺腫瘍、乳房腫瘍、結腸腫瘍、卵巣腫瘍、前立腺腫瘍、及びメラノーマ腫瘍から選択される、請求項３０〜３２のいずれか１項の医薬組成物。
【請求項３４】
病気又は症状は肺腫瘍、乳房腫瘍、結腸腫瘍、卵巣腫瘍、前立腺腫瘍、及びメラノーマ腫瘍からなる群から選択される、請求項３０〜３２のいずれか１項の医薬組成物。
【請求項３５】
有効量の請求項１〜２３のいずれか１項のポリマー複合体を含有する、組織の一部を造影するための医薬組成物。
【請求項３６】
該組織は、肺腫瘍、乳房腫瘍、結腸腫瘍、及び卵巣腫瘍からなる群から選択される腫瘍からのものである、請求項３５に記載の医薬組成物。
【請求項３７】
該医薬組成物が、静脈に投与のための形態である請求項３０〜３６のいずれか１項の医薬組成物。